(57)【要約】【課題】データファイルに対する処理を行う場合のファイル選択方向を順方向以外の方向にできるようにした電子カメラを得る。【解決手段】電子カメラ１は再生モードに設定されると、最後に撮影したコマの画像データをメモリカード１２１から読み出し、この画像を液晶モニター５に再生表示する。電子カメラ１は左選択スイッチＳＷ６が操作されると、１つ前のコマの画像データをメモリカード１２１から読み出し、この画像を液晶モニター５に再生表示する。以後同様に、左選択スイッチＳＷ６が操作されごとに、さらに前のコマの画像データをメモリカード１２１から読み出して液晶モニター５に再生表示する。電子カメラ１はメニュー選択画面（図５）で「１）前のコマ」が選択されている状態で１５コマ目に対応するファイルを削除処理するとき、削除後に１４コマ目の画像データをメモリカード１２１から読み出し、この画像を液晶モニター５に再生表示する。【選択図】図２
2004328457.tif 000002
【特許請求の範囲】
【請求項１】
記録媒体に記録されている複数のデータファイルのデータを読み出すデータ読み出し手段と、
前記データ読み出し手段による読み出しデータに基づいて前記データファイルを示す情報をそれぞれ生成する情報生成手段と、
前記情報生成手段による少なくとも１つの生成情報を表示する表示手段と、
前記表示手段に表示されている生成情報のうち１つを選択する選択手段と、
前記選択手段で選択されている生成情報に対応するデータファイルに関する処理を指示する操作部材と、
前記処理後に前記選択手段で選択する生成情報の選択順の方向を、前記データファイルの記録順に対して順方向および逆方向に切り換える切り換え手段と、
前記切り換え手段で切り換えられた選択順の方向で選択するように前記選択手段を制御する選択方向制御手段とを備えることを特徴とする電子カメラ。
【請求項２】
記録媒体に記録されている複数のデータファイルのデータを読み出すデータ読み出し手段と、
前記データ読み出し手段による読み出しデータに基づいて前記データファイルを示す情報をそれぞれ生成する情報生成手段と、
前記情報生成手段による少なくとも１つの生成情報を表示する表示手段と、
前記表示手段に表示されている生成情報のうち１つを選択する選択手段と、
前記選択手段で選択されている生成情報に対応するデータファイルに関する処理を指示する操作部材と、
前記処理後に前記選択手段で選択する生成情報の選択順の方向を、前記データファイルの記録順に対して逆方向に選択するように前記選択手段を制御する選択方向制御手段とを備えることを特徴とする電子カメラ。
【請求項３】
記録媒体に記録されている複数のデータファイルのデータを読み出すデータ読み出し手段と、
前記データ読み出し手段による読み出しデータに基づいて前記データファイルを示す情報をそれぞれ生成する情報生成手段と、
前記情報生成手段による少なくとも１つの生成情報を表示する表示手段と、
前記表示手段に表示されている生成情報のうち１つを選択する選択手段と、
前記選択手段で選択されている生成情報に対応するデータファイルに関する処理を指示する操作部材と、
前記処理後に前記選択手段で選択する生成情報の選択順の方向を、前回の選択時の選択方向に応じて選択するように前記選択手段を制御する選択方向制御手段とを備えることを特徴とする電子カメラ。
【請求項４】
請求項１〜３のいずれかに記載の電子カメラにおいて、
前記表示手段は、１つのデータファイルを示す生成情報を１つ表示し、
前記選択手段は、前記表示手段に表示されている生成情報を選択することを特徴とする電子カメラ。
【請求項５】
請求項１〜３のいずれかに記載の電子カメラにおいて、
前記表示手段は、複数のデータファイルをそれぞれ示す生成情報を複数表示し、
前記選択手段は、前記表示手段に表示されている複数の生成情報のうち１つを選択することを特徴とする電子カメラ。
【請求項６】
請求項１〜５のいずれかに記載の電子カメラにおいて、
前記データファイルは画像データを含み、
前記生成情報は、前記画像データをリサイズしたデータによる画像であることを特徴とする電子カメラ。
【発明の詳細な説明】
【０００１】
【発明の属する技術分野】
本発明は、画像などのデータファイルを扱う電子カメラに関する。
【０００２】
【従来の技術】
メモリカードなどの記録媒体に記録されているデータファイルの情報を読み出し可能な電子カメラが知られている（たとえば、特許文献１参照）。特許文献１に記載のカメラは、記録媒体に記録されている複数の画像データを記録媒体から順に読み出し、読み出したデータによる画像をＬＣＤモニタに３〜５秒間隔で連続的に表示する、いわゆるスライドショーを行う。読み出しおよび表示を行うコマは、ｎコマ目の次に（ｎ＋１）コマ目というように順送り方向に進められる。
【０００３】
【特許文献１】
特開２０００−１２５２５２号公報
【０００４】
【発明が解決しようとする課題】
一般に電子カメラでは、データファイルに対する処理を指示するための操作が行われる。たとえば、記録媒体に記録されている画像の中でｎコマ目を削除する場合、電子カメラのＬＣＤモニタに表示されているデータファイルを示す情報のうち、ｎコマ目の画像に対応する情報を選択した状態で削除処理の実行が指示される。データファイルの削除後は当該データファイルを示す情報も削除されるので、電子カメラは他のコマの画像に対応する情報を選択する。この場合に選択するコマは、上記スライドショーのように（ｎ＋１）コマ目が選択される。データファイルに対する処理は、カメラの使用者にとって必ずしも順送り方向がよいとは限らない。
【０００５】
本発明は、データファイルに対する処理を行う場合のファイル選択方向を順方向以外の方向にできるようにした電子カメラを提供するものである。
【０００６】
【課題を解決するための手段】
請求項１に記載の発明による電子カメラは、記録媒体に記録されている複数のデータファイルのデータを読み出すデータ読み出し手段と、データ読み出し手段による読み出しデータに基づいてデータファイルを示す情報をそれぞれ生成する情報生成手段と、情報生成手段による少なくとも１つの生成情報を表示する表示手段と、表示手段に表示されている生成情報のうち１つを選択する選択手段と、選択手段で選択されている生成情報に対応するデータファイルに関する処理を指示する操作部材と、処理後に選択手段で選択する生成情報の選択順の方向を、データファイルの記録順に対して順方向および逆方向に切り換える切り換え手段と、切り換え手段で切り換えられた選択順の方向で選択するように選択手段を制御する選択方向制御手段とを備えることを特徴とする。
請求項２に記載の発明による電子カメラは、記録媒体に記録されている複数のデータファイルのデータを読み出すデータ読み出し手段と、データ読み出し手段による読み出しデータに基づいてデータファイルを示す情報をそれぞれ生成する情報生成手段と、情報生成手段による少なくとも１つの生成情報を表示する表示手段と、表示手段に表示されている生成情報のうち１つを選択する選択手段と、選択手段で選択されている生成情報に対応するデータファイルに関する処理を指示する操作部材と、処理後に選択手段で選択する生成情報の選択順の方向を、データファイルの記録順に対して逆方向に選択するように選択手段を制御する選択方向制御手段とを備えることを特徴とする。
請求項３に記載の発明による電子カメラは、記録媒体に記録されている複数のデータファイルのデータを読み出すデータ読み出し手段と、データ読み出し手段による読み出しデータに基づいてデータファイルを示す情報をそれぞれ生成する情報生成手段と、情報生成手段による少なくとも１つの生成情報を表示する表示手段と、表示手段に表示されている生成情報のうち１つを選択する選択手段と、選択手段で選択されている生成情報に対応するデータファイルに関する処理を指示する操作部材と、処理後に選択手段で選択する生成情報の選択順の方向を、前回の選択時の選択方向に応じて選択するように選択手段を制御する選択方向制御手段とを備えることを特徴とする。
上記電子カメラの表示手段は、１つのデータファイルを示す生成情報を１つ表示することもできる。この場合の選択手段は、表示手段に表示されている生成情報を選択する。
また、上記電子カメラの表示手段は、複数のデータファイルをそれぞれ示す生成情報を複数表示することもできる。この場合の選択手段は、表示手段に表示されている複数の生成情報のうち１つを選択する。
上記データファイルは画像データを含んでもよい。この場合の生成情報は、画像データをリサイズしたデータによる画像とすることもできる。
【０００７】
【発明の実施の形態】
以下、図面を参照して本発明の実施の形態を説明する。
図１は、本発明の一実施の形態による電子カメラの背面および上面を見た斜視図である。図１において、電子カメラ１の上面には、メインスイッチＳＷ１と、レリーズボタンＳＷ２とが備えられている。電子カメラ１の背面には、取消スイッチＳＷ３と、モードスイッチＳＷ４と、削除スイッチＳＷ５と、左選択スイッチＳＷ６と、右選択スイッチＳＷ７と、上選択スイッチＳＷ８と、下選択スイッチＳＷ９と、確定スイッチＳＷ１０と、液晶モニター５とが備えられている。
【０００８】
図２は、図１の電子カメラ１の要部構成を説明するブロック図である。電子カメラ１は、マイクロコンピュータ１０１によって制御される。メインスイッチＳＷ１は、電子カメラ１の主電源オン／オフ操作に応じて操作信号を出力する。レリーズスイッチＳＷ２は、レリーズボタンＳＷ２のボタン操作に連動して撮影開始を指示するレリーズ操作信号を出力する。
【０００９】
取消スイッチＳＷ３は、操作を取消すための操作に応じて操作信号を出力する。モードスイッチＳＷ４は、電子カメラ１の動作モード、すなわち、撮影モード、再生モードおよびメニューモードを切替えるための操作に応じて操作信号をそれぞれ出力する。削除スイッチＳＷ５は、画像データファイルを削除する操作に応じて操作信号を出力する。
【００１０】
左選択スイッチＳＷ６、右選択スイッチＳＷ７、上選択スイッチＳＷ８、および下選択スイッチＳＷ９は、それぞれ選択方向を示す操作に応じて操作信号を出力する。確定スイッチＳＷ１０は、確定操作に応じて操作信号を出力する。
【００１１】
撮影レンズ２１は、被写体像をＣＣＤ２２の撮像面上に結像させる。撮像回路２３はＡ／Ｄ変換回路を含み、ＣＣＤ２２から出力されるアナログ撮像信号をディジタルデータに変換し、変換後の画像データに対して所定の画像処理を行う。画像処理は、γ変換処理やホワイトバランス調整処理などを含む。ドライバ回路１０４は、マイクロコンピュータ１０１からの指令に応じてモータ１０５を駆動する。モータ１０５は、不図示のフォーカスレンズを光軸方向に進退駆動する。
【００１２】
電池１０３は、電子カメラ１内の各部に電力を供給する。ドライバ回路１０６は、マイクロコンピュータ１０１からの指令に応じてシャッター機構１０７を駆動制御する。シャッター機構１０７は、不図示の羽根を開閉してＣＣＤ２２に対する遮光・露光を行う。ドライバ回路１０８は、マイクロコンピュータ１０１からの指令に応じて絞り機構１０９を駆動制御する。絞り機構１０９は、不図示の絞りを開閉する。ドライバ回路１１０は、マイクロコンピュータ１０１からの指令に応じてミラー機構１１１を駆動制御する。ミラー機構１１１は、不図示のミラーのアップ・ダウンを行う。
【００１３】
インターフェイス１１２は、電子カメラ１内のデータをパソコンや別の電子カメラなどの外部機器へ出力（送信）するインターフェイス回路である。インターフェイス１１２の例として、ＲＳ２３２Ｃ、ＵＳＢ、ＩＥＥＥ１３９４などがある。液晶ドライブ回路１２０は、マイクロコンピュータ１０１からの指令により液晶モニター５に対する駆動信号を生成する。液晶モニター５は、画像や操作メニューなどを表示する。メモリカード１２１は、カードコネクタ１１９を介して電子カメラ１に着脱される記録媒体である。メモリカード１２１には画像データ（ファイル）や音声データ（ファイル）が記録される。
【００１４】
画像記憶メモリ１１８は、上記画像処理や、後述する圧縮処理および伸長処理の際に一時的に画像データを格納するバッファーを構成する。圧縮／伸長回路１１７は、たとえば、ＪＰＥＧなど所定の方式で画像データを圧縮処理したり、圧縮された画像データを伸長処理したりする。メモリ１１６は、マイクロコンピュータ１０１の作業領域として利用される。タイマー１１３は、マイクロコンピュータ１０１によって指定された時間を計時し、タイムアップ信号を出力する。
【００１５】
ドライバ回路１１４は、マイクロコンピュータ１０１からの指令に応じて圧電ブザー１１５を駆動制御する。  圧電ブザー１１５は、不図示の圧電素子を振動させてブザー音を発する。
【００１６】
上述した電子カメラ１は撮影モード時に、撮影した画像データおよび録音した音声データを関連づけてメモリカード１２１にそれぞれ記録する。音声データの記録は、使用者によって録音が指示されていない場合は省略される。電子カメラ１は再生モード時に、メモリカード１２１に記録されている画像データおよび音声データを読出し、画像データによる画像を液晶モニター５に表示するとともに、音声データによる音声を不図示のスピーカから再生する。また、電子カメラ１はメニューモード時に、電子カメラ１に対する設定を行うためのメニュー選択画面を液晶モニター５に表示する。
【００１７】
本発明は、再生モードにおける液晶モニター５の表示、とくに、データファイルに対する操作を行った後の表示に特徴を有するので、再生モード時の動作を中心に説明する。
【００１８】
図３は、メモリカード１２１に記録されている一連の画像データファイルを示す図である。図３において、ディレクトリ名「１０１」に１８コマの画像データ（ファイル）が記録されている。ディレクトリはフォルダとも呼ばれる。「１０１−１」が記されているコマは、フォルダ内で最初に撮影された画像である。「１０１−１８」が記されているコマは、フォルダ内で最後に撮影された画像である。
【００１９】
図３のように画像データファイルがメモリカード１２１に記録されている状態で、電子カメラ１が再生モードに設定されると、電子カメラ１は最後に撮影した１８コマ目の画像データをメモリカード１２１から読み出し、読み出したデータによる画像を液晶モニター５に再生表示する。液晶モニター５に表示される画像は、液晶モニター５の表示解像度に応じてリサイズされたデータによる画像である。この状態で左選択スイッチＳＷ６が操作されると、電子カメラ１は、現在表示しているコマの１つ前の１７コマ目の画像データをメモリカード１２１から読み出し、読み出したデータによる画像を液晶モニター５に再生表示する。以後同様に、左選択スイッチＳＷ６がさらに操作されると、電子カメラ１はさらに前のコマの画像データをメモリカード１２１から読み出し、読み出したデータによる画像を液晶モニター５に再生表示する。
【００２０】
図３の画像データのうち１５コマ目の画像データを削除する例を説明する。図４は、液晶モニター５に１５コマ目の画像データによる画像が表示されている状態を示す図である。画面右下の「１０１−１５」は、フォルダ名称「１０１」の中で１５コマ目であることを示す。この状態で使用者が削除スイッチＳＷ５を操作すると、電子カメラ１は、表示中のコマに対応する画像データ（ファイル）をメモリカード１２１から削除する。電子カメラ１は、液晶モニター５に表示している画像を他のコマに対応する画像データによる画像に変更する。
【００２１】
画像データ（ファイル）の削除後に液晶モニター５に表示する画像のコマは、あらかじめメニューモードにおいて以下のように指定されている。図５は、メニューモード時に液晶モニター５に表示されるメニュー選択画面の例を示す図である。使用者は、モードスイッチＳＷ４を操作することによって液晶モニター５に不図示のメインメニュー画面を表示させ、左選択スイッチＳＷ６、右選択スイッチＳＷ７、上選択スイッチＳＷ８、および下選択スイッチＳＷ９などを操作することにより、図５に示すメニュー選択画面を表示させる。
【００２２】
図５のメニュー選択画面は、画像データファイルに対する処理（たとえば、当該データファイルの削除）を実行した後に選択表示するコマを指定するためのメニュー選択画面である。図５において、「１）」から「５）」の５つのメニューが表示され、いずれか１つの項目（図５では１）にカーソルが表示されている。カーソルは選択項目を示す。使用者は、上選択スイッチＳＷ８および下選択スイッチＳＷ９を操作して選択項目を選び、確定スイッチＳＷ１０を操作することによって選択項目を確定する。
【００２３】
「１）前のコマ」は、たとえば、「１０１−１５」に対応するファイルの削除を実行後に１つ前のコマ「１０１−１４」を選択するものである。電子カメラ１は、１）が選択されているとき、上記ファイルの削除後に「１０１−１４」のコマの画像データに記録されているデータをメモリカード１２１から読み出し、読み出したデータによる画像を液晶モニター５に再生表示する。図６は、液晶モニター５に１４コマ目の画像データによる画像が表示されている状態を示す図である。
【００２４】
「２）後ろのコマ」は、たとえば、「１０１−１５」に対応するファイルの削除を実行後に１つ後ろのコマ「１０１−１６」を選択するものである。電子カメラ１は、２）が選択されているとき、上記ファイルの削除後に「１０１−１６」のコマの画像データに記録されているデータをメモリカード１２１から読み出し、読み出したデータによる画像を液晶モニター５に再生表示する。
【００２５】
「３）直前のコマ送り方向と同じ」は、たとえば、「１０１−１５」に対応するファイルの削除を実行後に選択するコマは、「１０１−１５」の前に選択されていたコマに応じて決定するものである。「１０１−１５」の前に「１０１−１４」が選択されていた場合、上記ファイルの削除後に１つ後ろのコマ「１０１−１６」を選択する。これとは反対に、「１０１−１５」の前に「１０１−１６」が選択されていた場合、上記ファイルの削除後に１つ前のコマ「１０１−１４」を選択する。電子カメラ１は、３）が選択されているとき、以上のように選択したコマの画像データに記録されているデータをメモリカード１２１から読み出し、読み出したデータによる画像を液晶モニター５に再生表示する。
【００２６】
「４）直前のコマ送り方向と逆」は、上記３）と向きが異なる。たとえば、「１０１−１５」の前に「１０１−１４」が選択されていた場合、上記ファイルの削除後に１つ前のコマ「１０１−１４」を選択する。これとは反対に、「１０１−１５」の前に「１０１−１６」が選択されていた場合、上記ファイルの削除後に１つ後ろのコマ「１０１−１６」を選択する。電子カメラ１は、４）が選択されているとき、以上のように選択したコマの画像データに記録されているデータをメモリカード１２１から読み出し、読み出したデータによる画像を液晶モニター５に再生表示する。
【００２７】
「５）そのまま」は、たとえば、「１０１−１５」に対応するファイルの削除を実行後に他のコマを選択しないものである。電子カメラ１は、５）が選択されているとき、上記ファイルの削除後に液晶モニター５にブランク表示を行う。ブランク表示は、たとえば、表示モニター５の画面全体を青で表示するものである。
【００２８】
画像データファイルに対する処理後に選択表示するコマを決定する処理の流れについて、図７のフローチャートを参照して説明する。図７による処理は、データファイルの削除など、画像データファイルに対する処理の実行を指示する操作が行われると、マイクロコンピュータ１０１によって行われる。
【００２９】
ステップＳ１１において、マイクロコンピュータ１０１は、コマ選択の方向指定があるか否かを判定する。マイクロコンピュータ１０１は、図５のメニュー選択画面によって１）から４）のいずれかが選択されている場合にステップＳ１１を肯定判定してステップＳ１２へ進み、図５のメニュー選択画面によって５）が選択されている場合にステップＳ１１を否定判定し、図７による処理を終了する。ステップＳ１１を否定判定する場合は、画像データファイルに対する処理後にコマ選択をしない。
【００３０】
ステップＳ１２において、マイクロコンピュータ１０１は、直前のコマ選択の方向に応じた方向指定があるか否かを判定する。マイクロコンピュータ１０１は、図５のメニュー選択画面によって３）および４）のいずれかが選択されている場合にステップＳ１２を肯定判定してステップＳ１６へ進み、図５のメニュー選択画面によって１）および２）のいずれかが選択されている場合にステップＳ１２を否定判定し、ステップＳ１３へ進む。
【００３１】
ステップＳ１３において、マイクロコンピュータ１０１は、順方向にコマ選択する指定があるか否かを判定する。順方向は、後から撮影されたコマ（後ろのコマ）を選択する方向とする。マイクロコンピュータ１０１は、図５のメニュー選択画面によって２）が選択されている場合にステップＳ１３を肯定判定してステップＳ１４へ進み、図５のメニュー選択画面によって１）が選択されている場合にステップＳ１３を否定判定し、ステップＳ１５へ進む。
【００３２】
ステップＳ１４において、マイクロコンピュータ１０１は、コマ選択の向きを順方向にセットし、図７による処理を終了する。ステップＳ１５において、マイクロコンピュータ１０１は、コマ選択の向きを逆方向にセットし、図７による処理を終了する。逆方向は、先に撮影されたコマ（前のコマ）を選択する方向とする。
【００３３】
ステップＳ１６において、マイクロコンピュータ１０１は、直前のコマ選択の方向と同じにする指定があるか否かを判定する。マイクロコンピュータ１０１は、図５のメニュー選択画面によって３）が選択されている場合にステップＳ１６を肯定判定してステップＳ１７へ進み、図５のメニュー選択画面によって４）が選択されている場合にステップＳ１６を否定判定し、ステップＳ１８へ進む。
【００３４】
ステップＳ１７において、マイクロコンピュータ１０１は、コマ選択の向きを直前に行ったコマ選択と同じ方向にセットし、図７による処理を終了する。ステップＳ１８において、マイクロコンピュータ１０１は、コマ選択の向きを直前に行ったコマ選択と逆の方向にセットし、図７による処理を終了する。
【００３５】
以上説明した実施の形態についてまとめる。
（１）電子カメラ１が再生モードに設定されると、最後に撮影したコマ（上記例では「１０１−１８」）の画像データをメモリカード１２１から読み出し、読み出したデータによる画像を液晶モニター５に再生表示する。
【００３６】
（２）電子カメラ１は左選択スイッチＳＷ６が操作されると、１つ前のコマ（上記例では「１０１−１７」）の画像データをメモリカード１２１から読み出し、読み出したデータによる画像を液晶モニター５に再生表示する。以後同様に、左選択スイッチＳＷ６が操作されごとに、さらに前のコマの画像データをメモリカード１２１から読み出し、読み出したデータによる画像を液晶モニター５に再生表示する。
【００３７】
（３）電子カメラ１は、図５のメニュー選択画面において「１）前のコマ」が選択されている状態で「１０１−１５」に対応するファイルを削除するとき、削除実行後に「１０１−１４」のコマの画像データに記録されているデータをメモリカード１２１から読み出し、読み出したデータによる画像を液晶モニター５に再生表示する（図６）。したがって、使用者が撮影済み画像を最後のコマ「１０１−１８」から前に向かって１つずつ確認し、不要な画像を削除する場合には、画像削除後のコマ選択の方向が使用者による撮影済み画像を確認する方向と合致するので、使用者にとって使いやすい電子カメラが得られる。
【００３８】
（４）コマ選択の方向は、図５のメニュー選択画面で「１）前のコマ」および「２）後ろのコマ」を選択できるようにしたので、使用者が撮影済み画像を最初のコマ「１０１−１」から後ろに向かって１つずつ確認し、不要な画像を削除する場合には、画像削除後のコマ選択の方向が使用者による撮影済み画像の確認方向と合致するので、使用者にとって使いやすい電子カメラが得られる。
【００３９】
（５）コマ選択の方向は、図５のメニュー選択画面で「３）直前のコマ送り方向と同じ」を選択できるようにした。メニュー選択画面で「１）前のコマ」もしくは「２）後ろのコマ」を選択している場合、コマ送り方向を変更するためにはメニュー選択画面を開いて変更操作が必要である。これに対して「３）直前のコマ送り方向と同じ」を選択している場合には、使用者が左選択スイッチＳＷ６もしくは右選択スイッチＳＷ７を操作することによって撮影済み画像を確認する方向を変えると、以降の画像削除後のコマ選択方向が変更される。この結果、メニュー選択画面を開いて変更する場合に比べて、変更操作を円滑・迅速に行うことができる。
【００４０】
以上の説明では、再生モード時に液晶モニター５に１コマずつ画像を再生表示する例を説明したが、複数コマの画像を一度に液晶モニター５に表示するサムネイル再生表示を行う場合にも本発明を提供できる。図８は、液晶モニター５に「１０１−１０」〜「１０１−１８」のコマの複数のサムネイル画像がそれぞれ表示されている状態を示す図である。液晶モニター５の画面で中段右の黒枠は、「１０１−１５」の画像データ（ファイル）を選択していることを示す。この状態で使用者が削除スイッチＳＷ５を操作すると、電子カメラ１は、黒枠のコマ（選択コマ）に対応する画像データ（ファイル）をメモリカード１２１から削除する。電子カメラ１は、液晶モニター５に表示している選択コマを他のコマに変更する。なお、「１０１−１８」のコマ以降にも撮影されたコマがあるとする。
【００４１】
電子カメラ１は、図５のメニュー選択画面で１）が選択されているとき、「１０１−１４」のコマを選択コマにする。図９は、複数のサムネイル画像の中で１４コマ目の画像データ（ファイル）を選択している状態を示す図である。「１０１−１５」の画像データ（ファイル）が削除されたので、液晶モニター５には、「１０１−１０」〜「１０１−１４」、「１０１−１６」〜「１０１−１９」のコマのサムネイル画像がそれぞれ表示される。
【００４２】
画像データファイルに対する処理としてデータファイルの削除を例に説明したが、各データファイルに対するプロテクト指定処理、各データファイルによる画像のプリント指定処理、各データファイルによる画像の非表示指定処理、各データファイルの送信指定処理、複数のデータファイルを一括削除する場合の選択処理などにも本発明を適用できる。
【００４３】
メモリカード１２１に記録されているデータファイルに対する処理を例に説明したが、画像記憶メモリ（バッファーメモリ）１１８やメモリ１１６などの電子カメラ１内の内蔵メモリに記録されているデータファイルに対する処理を行う場合にも本発明を適用してよい。
【００４４】
特許請求の範囲における各構成要素と、発明の実施の形態における各構成要素との対応について説明する。データ読み出し手段、選択手段および選択方向制御手段は、たとえば、マイクロコンピュータ１０１によって構成される。生成情報は、液晶モニター５に再生表示する画像（データ）が対応する。情報生成手段は、たとえば、マイクロコンピュータ１０１および画像記憶メモリ１１８によって構成される。表示手段は、たとえば、液晶モニター５によって構成される。操作部材は、たとえば、削除スイッチＳＷ５によって構成される。切り換え手段は、たとえば、メニューモードが対応する。なお、本発明の特徴的な機能を損なわない限り、各構成要素は上記構成に限定されるものではない。
【００４５】
【発明の効果】
本発明による電子カメラは、データファイルに対する処理を行う場合のファイル選択方向を順方向以外の方向にできるので、使用者にとって使いやすくなる。
【図面の簡単な説明】
【図１】本発明の一実施の形態による電子カメラの背面および上面を見た斜視図である。
【図２】図１の電子カメラの構成を説明するブロック図である。
【図３】メモリカードに記録されている一連の画像データファイルを示す図である。
【図４】液晶モニターに１５コマ目の画像データによる画像が表示されている状態を示す図である。
【図５】液晶モニターに表示されるメニュー選択画面の例を示す図である。
【図６】液晶モニターに１４コマ目の画像データによる画像が表示されている状態を示す図である。
【図７】画像データファイルに対する処理後に選択表示するコマを決定する処理の流れを説明するフローチャートである。
【図８】液晶モニターに複数のサムネイル画像が表示されている状態を示す図である。
【図９】複数のサムネイル画像の中で１４コマ目の画像データ（ファイル）を選択している状態を示す図である。
【符号の説明】
１…電子カメラ、                    ５…液晶モニター、
２１…撮影レンズ、                  ２２…ＣＣＤ、
１０１…マイクロコンピュータ、      １１６…メモリー、
１１７…圧縮／伸長回路、            １１８…画像記憶メモリ、
１２１…メモリカード、              ＳＷ２…レリーズボタン、
ＳＷ３…取消スイッチ、              ＳＷ４…モードスイッチ、
ＳＷ５…削除スイッチ、              ＳＷ６…左選択スイッチ、
ＳＷ７…右選択スイッチ、            ＳＷ８…上選択スイッチ、
ＳＷ９…下選択スイッチ、            ＳＷ１０…確定スイッチ
【図１】
2004328457.tif 000003
【図２】
2004328457.tif 000004
【図３】
2004328457.tif 000005
【図４】
2004328457.tif 000006
【図５】
2004328457.tif 000007
【図６】
2004328457.tif 000008
【図７】
2004328457.tif 000009
【図８】
2004328457.tif 000010
【図９】
2004328457.tif 000011